(57)【特許請求の範囲】
【請求項１】
ある長さ（２４）及びある幅（２６）を有するカミソリカートリッジ（１４）において、
座部（１８）と、
長手方向に伸びる前面（３６）、長手方向に伸びる後面（３８）、及び前記前面と前記後面との間に伸びる接触面（４０）を有するキャップ（２０）と、
各々が長手方向に伸びる刃部（３２）を有し、前記座部と前記キャップとの間に配置された１枚又は複数のカミソリブレード（２２）と、
前記キャップの後面（３８）の中央に該後面の相当部分の長さにわたり配置された単一の凹部（４２）とを備え、前記凹部により、前記１枚又は複数のカミソリブレードの刃部が、例えば鼻のような突起部のまわりの剃るべき皮膚面に密に接近することが可能となり、
前記接触面（４０）内に配置され、前記前面（３６）の後方で且つ前記凹部（４２）の前方に配置されたひげ剃り補助剤ストリップ（５０）を備え、
ひげ剃り補助剤ストリップ（５０）が、
前記１枚又は複数のカミソリブレード（２２）に隣接する第一の端縁（５４）と、
前記キャップの後面（３８）に隣接する第二の端縁（５６）と、
前記第一の端縁と前記第二の端縁との間に伸びる１対の側端縁（５８）とを備え、
前記第一の端縁が前記１枚又は複数のカミソリブレード（２２）の刃部（３２）に対し平行に伸び、前記第二の端縁が前記後面（３８）の輪郭に沿っている、カミソリカートリッジ。
【請求項２】
請求項１のカミソリカートリッジにおいて、
前記キャップの接触面（４０）に取り付けられ、前記前面（３６）の後方で且つ前記凹部（４２）の前方に配置されたひげ剃り補助剤ストリップ（５０）を備える、カミソリカートリッジ。
【請求項３】
請求項１のカミソリカートリッジにおいて、前記凹部（４２）が底面（４４）を備え、
前記キャップの後面（３８）が第一の距離（４６）だけ最後側カミソリブレードの刃部（３２）から分離され、前記凹部の底面（４４）が、前記第一の距離よりも短い第二の距離（４８）だけ前記最後側カミソリブレードの刃部（３２）から分離されている、カミソリカートリッジ。
【請求項４】
請求項１のカミソリカートリッジにおいて、前記凹部（４２）が底面（４４）を備え、
前記キャップの後面（３８）が第一の距離（４６）だけ最後側カミソリブレードの刃部（３２）から分離され、前記凹部の底面（４４）が第二の距離（４８）だけ前記最後側カミソリブレードの刃部（２２）から分離され、
前記第一の距離がカートリッジのほぼ全長に沿って前記第二の距離よりも長い、カミソリカートリッジ。
【請求項５】
ある長さ（２４）と、ある幅（２６）と、幅方向に伸びる中心線（３０）とを有するカミソリカートリッジ（１４）において、
座部（１８）と、
長手方向に伸びる前面（３６）、長手方向に伸びる後面（３８）、及び前記前面と前記後面との間に伸びる接触面（４０）を有するキャップ（２０）と、
各々が長手方向に伸びる刃部（３２）を有し、前記座部と前記キャップとの間に配置された１枚又は複数のカミソリブレード（２２）と、
前記幅方向に伸びる中心線（３０）の片方の側（６４）にて前記後面（３８）から外方に伸びる第一のキャップ伸長部（６０）と、
前記幅方向に伸びる中心線（３０）の他方の側（６６）にて前記後面（３８）から外方に伸びる第二のキャップ伸長部（６２）とを備え、前記第一のキャップ伸長部及び前記第二のキャップ伸長部が互いに隔てられて、前記キャップの後面（３８）の中央に該後面の相当部分の長さにわたり配置された単一の凹部（４２）を前記両キャップ伸長部（６０，６２）の間に形成し、前記凹部により、前記１枚又は複数のカミソリブレードの刃部が、例えば鼻のような突起部のまわりの剃るべき皮膚面に密に接近することが可能となり、
前記接触面（４０）内に配置され、前記前面（３６）の後方で且つ前記凹部（４２）の前方に配置されたひげ剃り補助剤ストリップ（５０）を備え、
ひげ剃り補助剤ストリップ（５０）が、
前記カミソリブレード（２２）に隣接する位置に配置され且つ前記キャップ（２０）のほぼ全長に亙って長手方向に伸びる第一の部分（６８）と、
前記第一の部分から前記第一のキャップ伸長部（６０）内に伸びる第二の部分（７０）と、
前記第一の部分から前記第二のキャップ伸長部（６２）内に伸びる第三の部分（７２）とを備える、カミソリカートリッジ。
【請求項６】
請求項５のカミソリカートリッジにおいて、
前記接触面（４０）に取り付けられ、前記前面（３６）の後方で且つ前記凹部（４２）の前方に配置されたひげ剃り補助剤ストリップ（５０）を備える、カミソリカートリッジ。
【請求項７】
ある長さ（２４）と、
ある幅（２６）と、
座部（１８）と、
長手方向に伸びる前面（３６）、長手方向に伸びる後面（３８）、及び前記前面と前記後面との間に伸びる接触面（４０）とを有するキャップ（２０）と、
各々が長手方向に伸びる刃部（３２）を有し、前記座部及び前記キャップの間に配置された１枚又は複数のカミソリブレード（２２）と、
前記キャップの後面（３８）の中央に配置された単一の凹部（４２）とを有するカミソリカートリッジ（１４）、及び前記カミソリカートリッジに取り付けられたハンドル（１２）を備え、前記凹部（４２）により、前記１枚又は複数のカミソリブレードの刃部が、例えば鼻のような突起部のまわりの剃るべき皮膚面に密に接近することが可能となり、
前記接触面（４０）内に配置され、前記前面（３６）の後方で且つ前記凹部の前方に配置されたひげ剃り補助剤ストリップ（５０）を備え、
ひげ剃り補助剤ストリップ（５０）が、
前記１枚又は複数のカミソリブレード（２２）に隣接する第一の端縁（５４）と、
前記キャップの後面（３８）に隣接する第二の端縁（５６）と、
前記第一の端縁と前記第二の端縁との間に伸びる１対の側端縁（５８）とを備え、
前記第一の端縁が、前記１枚又は複数のカミソリブレード（２２）の刃部（３２）に対し平行に伸び、前記第二の端縁が前記後面（３８）の輪郭に沿っている、カミソリ組立体。
【請求項８】
請求項７のカミソリ組立体において、
前記キャップの接触面（４０）に取り付けられ、前記前面（３６）の後方で且つ前記凹部（４２）の前方に配置されたひげ剃り補助剤ストリップ（５０）を備える、カミソリ組立体。
【請求項９】
請求項７のカミソリ組立体において、前記凹部（４２）が底面（４４）を備え、
前記キャップの後面（３８）が第一の距離（４６）だけ最後側カミソリブレードの刃部（３２）から分離され、前記凹部の底面（４４）が第二の距離（４８）だけ最後側カミソリブレードの刃部（３２）から分離され、
前記第一の距離が前記第二の距離よりも長い、カミソリ組立体。
【発明の詳細な説明】
【０００１】
【発明の属する技術分野】
本発明は、ひげ剃り装置一般に関し、特に、カートリッジ内に配置されたひげ剃り補助剤を利用するひげ剃り装置に関する。
【０００２】
【従来の技術】
現代の安全カミソリは、ハンドルに回動可能に又は堅固に取り付けられたカートリッジ内に配置された複数のブレードを有している。一部の安全カミソリは、再使用型ハンドルと共に使用される使い捨て型カートリッジを有する一方、その他のものは、単一の使い捨て物となるように組み合わされたハンドル及びカートリッジを有している。多岐に亙るカミソリカートリッジの形態が存在するが、その殆どは、座部及びキャップを有する硬いプラスチックで出来たフレームを備えている。カートリッジは、ブレードの前方に配置されたガード部を有することがしばしばである。ガード部及びキャップは、ブレードのひげ剃り動作を最適化し得るように、ブレードに人間の皮膚が向くように配置することができる。幾つかのカートリッジは、ひげ剃り過程を促進するため、ひげ剃り補助剤（例えば、潤滑剤、抗力減少剤、脱毛剤、洗剤、薬剤等）から成る快適ストリップを有している。本明細書にて使用する「前方」及び「後方」という用語は、安全カミソリ（すなわち、カミソリ組立体）の各部分の間の相対的位置を規定する。カミソリブレードの「前方」部分は、例えば、カミソリ組立体をその所期のひげ剃り方向に移動させるならば（例えば、ガード部がカミソリブレードの前方にある場合）、カミソリブレードがひげ剃るべき面に当たる前に、その面がその「前方」部分（ガード部）に当たるようにされる。カミソリブレードの「後方」部分は、カミソリ組立体をその所期のひげ剃り方向に移動させるならば（例えば、キャップがカミソリブレードの後方に配置される場合）、カミソリブレードがひげ剃るべき面に当たった後に、その面がその「後方」部分（キャップ）に当たるように配置される。
【０００３】
特定のカミソリにより提供される快適さ及び性能は、カミソリが商業的に成功する上で極めて重要である。カミソリの快適さ、性能、及び使用の容易さを向上させる改良は、顕著なものか又は僅かなものであっても、カミソリの商業的成功にとって決定的な影響を与える。例えば、カートリッジの有効寿命は、快適ストリップの有効寿命によって制限されることがしばしばである。快適ストリップが使い切ったならば、一般に、カミソリもまた、交換しなければならないと考えられる。実際には、現在利用可能なカミソリ組立体におけるカミソリブレードは、快適ストリップが使い切った後、依然として使用に適していることが極めてしばしばである。
【０００４】
このため、長期間に亙って使用でき、これにより、望ましい品質であるとの認識を持つことを可能にするカミソリ組立体のカートリッジが必要とされている。
【０００５】
【発明が解決しようとする課題】
このため、本発明の１つの目的は、望ましい品質であるとの認識を持つことを可能にするカミソリ組立体のカートリッジを提供することである。
【０００６】
【課題を解決するための手段】
本発明によれば、座部と、キャップと、１枚又は複数のカミソリブレードと、キャップの後面内の中央に配置された凹部とを有するカミソリカートリッジが提供される。該凹部は、現在利用可能なカミソリカートリッジを使用する場合よりも、ユーザが顔のある造作（例えば、鼻）により近接して１枚又は複数のカミソリブレードの刃部を当てることを可能にする。カートリッジの１つの好ましい実施の形態において、ひげ剃り補助剤ストリップは、接触面内に配置され、キャップの前面の後方で且つ凹部の前方に位置決めされる。ひげ剃り補助剤ストリップは、凹部を含むカートリッジの後面の輪郭を反映することが好ましい。
【０００７】
これと代替的に、本発明のカミソリカートリッジは、座部と、キャップと、１枚又は複数のカミソリブレードと、第一のキャップ伸長部と、第二のキャップ伸長部とを有するものとして説明することもできる。第一及び第二のキャップ伸長部は、カートリッジの幅方向に伸びる中心線の各側部に１つずつあって、キャップの後面から外方に伸びている。第一のキャップ伸長部及び第二のキャップ伸長部は、互いに隔てられており、これにより、中央に配置された凹部を形成する。好ましい実施の形態において、ひげ剃り補助剤ストリップは、第一及び第二の伸長部内に伸びている。
【０００８】
本発明の１つの有利な点は、ユーザがひげ剃るべき面から外方に伸びる顔の造作により近接してひげ剃ることを可能にすることである。キャップの後面内の中央に配置された凹部は、顔の造作とカミソリブレードとの間の距離を短縮する。その結果、顔の造作により近接させてひげ剃ることが可能であり、これにより、より望ましいひげ剃り効果を提供することが可能である。
【０００９】
本発明の別の有利な点は、現在利用可能な多くのカミソリ組立体にて使用されるひげ剃り補助剤ストリップに比してひげ剃り補助剤ストリップの有効寿命が引延ばされる点である。ひげ剃り補助剤ストリップが凹部の外側の領域内に、又はこれと代替的に、キャップの伸長部内に伸びることは、ひげ剃り補助剤ストリップの表面積を広げることになる。その結果、ストリップの有効寿命は、好ましい程に引延ばされる。
【００１０】
本発明の上記及びその他の目的、特徴並びに有利な点は、本発明の詳細な説明を読むことにより明らかになるであろう。
【００１１】
【発明の実施の形態】
図１を参照すると、カミソリ組立体１０は、ハンドル１２と、カートリッジ１４とを備えている。ハンドル１２はカートリッジ１４に堅固に又は回動可能に取り付けることができる。カートリッジ１４は、再使用型ハンドルと共に使用し得るよう使い捨て型カートリッジとすることができ、又はハンドル１２及びカートリッジ１４は、単一の使い捨て型カミソリ組立体となるように組み合わせることができる。
【００１２】
図２及び図３を参照すると、カートリッジ１４は、座部１８及びキャップ２０を有するフレーム１６と、座部１８及びキャップ２０の間に配置された１枚又は複数のカミソリブレード２２とを備えている。カートリッジ１４は、長さ２４と、幅２６と、高さ２８と、幅方向に伸びる中心線３０とを有している。カミソリブレード２２の各々は、長手方向に伸びる刃部３２を有している。適用例に依存して、カートリッジ１４はフレーム１６に取り付けられたガード部３４を備えることもできる。ガード部３４は当該技術分野にて周知であり、従って、本発明は任意の特定の型式のガード部と共に使用することにのみ限定されないと説明する以外、本明細書にて更に説明しない。
【００１３】
図２及び図３に図示した一例としての実施の形態において、キャップ２０は、長手方向に伸びる前面３６と、長手方向に伸びる後面３８と、前面３６及び後面３８の間を伸びる接触面４０とを有している。底面４４を有する凹部４２がキャップ２０の後面３８の中央に配置されている。幾つかの実施の形態において、凹部４２はフレーム１６及びキャップ２０内に伸びることができる。キャップ２０の後面３８は第一の距離４６だけ最後側カミソリブレード２２の刃部３２から分離されている。凹部４２の底面４４は第二の距離４８だけ最後側カミソリブレード２２の刃部３２から分離されている。第一の距離４６は第二の距離４８よりも長い。幾つかの実施の形態において、キャップ２０の後面３８は最後側カミソリブレード２２の刃部３２に対し平行ではない。これらの実施の形態において、キャップ２０の後面３８と最後側カミソリブレード２２の刃部３２との間の第一の距離４６は、カートリッジ１４の長さ２４に沿った各位置にて又はカートリッジ１４の長さ２４に沿った少なくとも多数の位置にて第二の距離４８よりも典型的に長い。
【００１４】
図２乃至図４を参照すると、カートリッジ１４は、キャップ２０の接触面４０内の空所５２内に配置されたひげ剃り補助剤ストリップ５０（「快適ストリップ」と称される場合がある）を有している。ひげ剃り補助剤ストリップ５０は、既知の手段（例えば、ピン、機械的締結具、接着剤等）によりキャップ２０に取り付けることができる。ひげ剃り補助剤ストリップ５０及び空所５２はキャップ２０の前面３６の後方で且つ凹部４２の前方に配置されている。ひげ剃り補助剤ストリップ５０は空所５２内に配置する必要はなく、キャップ２０の接触面４０に取り付けてもよい。ひげ剃り補助剤ストリップ５０は、潤滑剤、抗力減少剤、脱毛剤、洗剤、薬剤等のような多岐に亙る組成材料の１つ又は複数を含むことができ、また、本発明は任意の単一の材料又は材料の組み合わせにのみ限定されるものと解釈されるべきではない。
【００１５】
図２に図示したひげ剃り補助剤ストリップ５０は、カミソリブレード２２に隣接する第一の端縁５４と、キャップ２０の後面３８に隣接する第二の端縁５６と、各々第一の端縁５４及び第二の端縁５６の間を伸びる１対の側端縁５８とを含む幾何学的形態を備えている。第一の端縁５４はカミソリブレードの刃部３２に対し平行に伸びることが好ましい。第二の端縁５６は後面３８の輪郭に従うことが好ましい。形成されるひげ剃り補助剤ストリップの幾何学的形態は、矩形の形状であるひげ剃り補助剤ストリップ５０と比較したとき、キャップ２０の接触面４０に沿ってより広いひげ剃り補助剤の表面積を提供する。この追加的なひげ剃り補助剤ストリップの面は、ひげ剃り補助剤ストリップ５０の有効寿命、従って、ひげ剃り組立体１０の有効寿命を引延ばす。
【００１６】
これと代替的に、本発明のカミソリカートリッジ１４は、座部１８と、キャップ２０と、１枚又は複数のカミソリブレード２２と、第一のキャップ伸長部６０と、第二のキャップ伸長部６２とを有するものとして説明することもできる。上述したように、キャップ２０は、長手方向に伸びる前面３６と、長手方向に伸びる後面３８と、前面３６及び後面３８の間を伸びる接触面４０とを備えており、１枚又は複数のカミソリブレード２２が座部１８及びキャップ２０の間に配置されている。第一のキャップ伸長部６０は幅方向に伸びる中心線３０の第一の側部６４にて後面３６から外方に伸びている。第二のキャップ伸長部６２は幅方向に伸びる中心線３０の第二の側部６６にて後面３８から外方に伸びている。第一の側部６４及び第二の側部６６は幅方向に伸びる中心線３０の両側部であり、第一のキャップ伸長部６０及び第二のキャップ伸長部６２は互いに隔てられている。上述したように、カートリッジ１４はキャップ２０の接触面４０内の空所５２内に配置され又は接触面２０に取り付けられたひげ剃り補助剤ストリップ５０を有している。組成材料は上述したものと同一である。この代替的に説明した実施の形態において、ひげ剃り補助剤ストリップ５０の幾何学的形態は、第一の部分６８と、第二の部分７０と、第三の部分７２とを備えている。第一の部分６８はカミソリブレード２２に隣接する位置に配置され且つキャップ２０のほぼ全てを亙って長手方向に伸びている。第二の部分７０は第一の部分６８から第一のキャップ伸長部６０内まで伸びている。第三の部分７２は第一の部分６８から第二のキャップ伸長部６２内まで伸びている。この場合にも、形成されるひげ剃り補助剤ストリップの幾何学的形態は、矩形の形状とされた従来技術のひげ剃り補助剤ストリップと比較したとき、キャップ２０の接触面４０に沿ってより広いひげ剃り補助剤の表面積を提供する。この追加的なひげ剃り補助剤ストリップの面は、ひげ剃り補助剤ストリップ５０の有効寿命、従って、カミソリ組立体１０の有効寿命を引延ばす。
【００１７】
図４を参照すると、これと代替的に、ひげ剃り補助剤ストリップ５０は、第一の側部分７４と、中央部分７６と、第二の側部分７８とから成るものとすることができる。側部分７４、７８の各々は、カミソリブレード２２に隣接する第一の端縁５４からキャップ２０の後面３８に隣接する第二の端縁５６まで伸びている。中央部分７６が側部分７４、７８の間に配置されている。中央部分７６は側部分７４、７８におけるものと異なる組成材料を含むことができ、又はその逆に同一のものとすることができる。また、中央部分７６はひげ剃り非補助剤材料から成るものとしてもよい。これに加えて又はこれと代替的に、中央部分７６の輪郭は側部分７４、７８の輪郭と相違するものとすることができる。
【００１８】
その詳細な実施の形態に関して本発明を示し且つ説明したが、当該技術分野の当業者には、本発明の精神及び範囲から逸脱せずに、その形態及び細部の点で色々な変更が具体化可能であることが理解されよう。
【図面の簡単な説明】
【図１】本発明のカミソリ組立体の斜視図である。
【図２】ひげ剃り補助剤ストリップの第一の実施の形態を示すカミソリ組立体のカートリッジの平面図である。
【図３】図２の線３−３に沿ったカミソリ組立体のカートリッジの断面図である。
【図４】ひげ剃り補助剤ストリップの第二の実施の形態を示すカミソリ組立体のカートリッジの平面図である。
【符号の説明】
１０  カミソリ組立体              １２  ハンドル
１４  カートリッジ                １６  フレーム
１８  座部                        ２０  キャップ
２２  カミソリブレード            ２４  カートリッジの長さ
２６  カートリッジの幅            ２８  カートリッジの高さ
３０  カートリッジの中央線        ３２  刃部
３４  ガード部                    ３６  キャップの前面
３８  キャップの後面              ４０  キャップの接触面
４２  凹部                        ４４  底面
４６  第一の距離                  ４８  第二の距離
５０  ひげ剃り補助剤ストリップ      ５２  空所
５４  第一の端縁                  ５６  第二の端縁
５８  側端縁                      ６０  第一のキャップ伸長部
６２  第二のキャップ伸長部        ６４  第一の側部
６６  第二の側部
６８  ひげ剃り補助剤ストリップの第一の部分
７０  ひげ剃り補助剤ストリップの第二の部分
７２  ひげ剃り補助剤ストリップの第三の部分
７４  ひげ剃り補助剤ストリップの第一の側部分
７６  ひげ剃り補助剤ストリップの中央部分
７８  ひげ剃り補助剤ストリップの第二の側部分
【図１】
0004030425.tif 000002
【図２】
0004030425.tif 000003
【図３】
0004030425.tif 000004
【図４】
0004030425.tif 000005